(57)【要約】      （修正有）【課題】神楽本来の豪華な衣装、リズム感のある囃子、舞等で有名な石見神楽に着目し、このような「動き」のある石見神楽に着目し、この付加価値をさらにアップした人形を提供する。【解決手段】プラスチックを素材とした中空の人形の基体を設け、該人形の基体の底面には、電池と交換可能に収納する収納室を設けると共に、スイッチを設け、前記中空の人形の基体の中程には、近傍で手を叩く等の音を感知するセンサーに反応して、神楽の舞の動作を擬似した動きをする駆動装置Ｘを内蔵し、人形の基体の外面には、石見神楽のカシラＫと衣装Ｚとを被着し、該駆動装置Ｘを作動・停止させるスイッチと、録音したお囃子を外部に伝達するスピーカーを備えたことを特徴とする石見神楽人形。【選択図】図２
0003168825.tif 000002
【実用新案登録請求の範囲】
【請求項１】
プラスチックを素材とした中空の人形の基体（１）を設け、
該人形の基体（１）の底面には、電池（２）を、交換可能に収納する収納室（３）を設けると共に、スイッチ（４）を設け、
前記中空の人形の基体（１）の中程には、近傍で手を叩く等の音に反応して感知する音センサ基板（５）を設け、神楽の舞に合った面・手・腰・足等の擬似した動きをするモータを駆動源とする駆動装置（Ｘ）を内蔵し、
人形の基体（１）の外面には、石見神楽のカシラ（Ｋ）と衣装（Ｚ）とを被着し、
該駆動装置（Ｘ）を作動・停止させるスイッチ（４）と、録音したお囃子を外部に伝達するスピーカー（６）を備えたことを
特徴とする石見神楽人形。
【考案の詳細な説明】
【技術分野】
【０００１】
この考案は、石見神楽人形に関するものである。
【背景技術】
【０００２】
昨今の神楽ブームを反映し、各種色々な神楽グッズが市販されている。しかし、これらのグッズは、総て「静止」した置物や飾り物であり、人形自体に動きがなく、また、作動もしないものであり、迫力のある面（顔）以外は地味で極めて質素なものであった。
【０００３】
しかし、昔より根強い人気があり、近年もさらに日本国内はもとより外国においても公演され人気の高まっている神楽は、神楽本来の豪華な衣装、リズム感のある囃子、舞い等に特徴があり、これを生かした「動き」のある人形の開発が望まれるところである。
【考案の概要】
【考案が解決しようとする課題】
【０００４】
そこでこの考案は、神楽本来の独特な表情を有する頭部（以下、カシラという）、豪華な衣装、リズム感のある囃子、舞等で有名な石見神楽に着目し、このような「静」はもとより、「動」のある石見神楽にも着目し、この石見神楽の付加価値をさらにアップした静と動を有する石見神楽人形を開発・提供するものである。
【課題を解決するための手段】
【０００５】
この考案である課題を解決するための手段は、スイッチをＯＦＦにした場合は、静かな置物として、また、ＯＮにした場合には、神楽を舞い踊りする動きのある人形として機能する石見神楽人形である。
【考案の効果】
【０００６】
この考案によると、スイッチを入れない場合には、単に飾りとしての置物として機能し、また、スイッチを入れることにより、基体に設けた駆動装置が作動し、首支えを左右前後に移動させることにより、カシラが首を振り、また、録音したお囃子がスピーカーにより鳴り、首支えの動きに連動してカシラと衣装が動くことにより、まるで神楽を舞っているように見えてユーモラスな感じを与える等の極めて有益な効果を奏する。
【図面の簡単な説明】
【０００７】
【図１】この考案の一実施例を示す斜視図である。
【図２】この考案の一実施例を示す正面図である。
【図３】この考案の一実施例を示す左側面図である。
【図４】この考案の人形の一実施例を示し、（Ａ）は正面図であり、（Ｂ）は底面図である。
【図５】この考案に使用する首支えの移動状態の一実施例を示す正面図である。
【図６】この考案に使用する首支えの移動状態の一実施例を示す斜視図である。
【図７】この考案に使用する他のお面の一実施例を示す正面図である。
【考案を実施するための形態】
【０００８】
この考案は、基体に、神楽本来の独特な表情を有するカシラ、豪華な衣装を装着し、基体内に音センサ基板を設け、外部の大きな音に反応して、リズム感のある囃子が鳴り、人形を実際の舞に擬似した動作をするよう構成した人形であって、スイッチの切り替えにより、「静の置物」として、「動の人形」として機能し、有名な石見神楽を、身近で楽しむことのできる岩見神楽人形である。
【実施例】
【０００９】
この考案の一実施例を図面に基づいて詳述すると、プラスチックを素材とし、上部に首支え（Ｋａ）を有するの中空の人形（Ｙ）中に基体（１）を設け、該基体（１）の底面には、電池（２）を、交換可能に収納する収納室（３）を設けると共に、スイッチ（４）を設け、前記中空の人形の基体（１）の中程には、近傍で手を叩く等の音に反応して感知する音センサ基板（５）を設け、神楽の舞に合った面・手・腰・足等の擬似した動きをするモータを駆動源とする駆動装置（Ｘ）を内蔵し、人形の基体（１）の外面には、石見神楽のカシラ（Ｋ）と衣装（Ｚ）とを被着し、該駆動装置（Ｘ）を作動・停止させるスイッチ（４）と、横笛等のメロディーを録音したお囃子を外部に伝達するスピーカー（６）を備えたことを特徴とする石見神楽人形から構成されるものである。
【００１０】
尚、基体（石見神楽人形）（１）の大きさは、高さ３０ｃｍ前後であり、音センサ基板（５）を用いて、近傍の音、例えば、手を打つ音等を検知し、モーターを動力源（３）とした駆動装置（Ｘ）が作動するものであり、作動時間は、１０〜２０秒程度にタイマーで設定するよう構成する。
【００１１】
また、前記基体（１）の人形は、石見神楽に多数登場する人物の一人であり、その人物により踊りが異なり、従って、人形の手足の動きも異なるものであり、駆動装置も異なる。
【００１２】
その一実施例としての駆動装置（Ｘ）を説明すると、該駆動装置（Ｘ）は上部と下部の上・下二段から構成され、上部（１ａ）には、基体（１）に装着した石見神楽のカシラ（Ｋ）の首支え（Ｋａ）は、中空の人形（Ｙ）と連結されると共に、該首支え（Ｋａ）は、駆動装置（Ｘ）軸部とも枢着されている。
【００１３】
さらに、カシラ（Ｋ）の首支え（Ｋａ）は、駆動装置（Ｘ）によって左右・前後方向に傾斜させるよう構成れれており、該駆動装置（Ｘ）の下部（１ｂ）には、動力源である電池（２）を収納する収納室（３）と、該電池（２）を作動・停止させるＯＮ・ＯＦＦを有するスイッチ（４）と、横笛等のメロディーを録音したお囃子を外部に伝達するスピーカー（６）を備え、音センサ基板（５）を備えている。
【００１４】
そして、この石見神楽人形は、上記実施例に限定されることはなく、例えば、鬼、狐等の悪い役柄のお面をプラスチックで成形し、交換用電池を内蔵し、スイッチＯＮで鬼退治するクライマックス場面の大迫力囃子のメロディーを１０〜２０秒流れるよう構成すれば防犯グッズとしても利用できる。
【００１５】
さらに、図７に示すように、姫のお面をプラスチックで成形し、交換用電池を内蔵し、スイッチＯＮで横笛のメロディーを１０〜２０秒流れるよう構成すれば神秘的なムードを醸しだすことができる。
【産業上の利用可能性】
【００１６】
この考案によると、石見神楽人形の技術を確立し、実施・販売することにより産業上の利用可能性がある。
【符号の説明】
【００１７】
１  基体
２  電池
３  収納室
４  スイッチ
５  音センサ基板
６  スピーカー
Ｋ  石見神楽のカシラ
Ｋａ  首支え
Ｘ  駆動装置
Ｙ  中空の人形
Ｚ  衣装
【図１】
0003168825.tif 000003
【図２】
0003168825.tif 000004
【図３】
0003168825.tif 000005
【図４】
0003168825.tif 000006
【図５】
0003168825.tif 000007
【図６】
0003168825.tif 000008
【図７】
0003168825.tif 000009